(57)【要約】【課題】  従来の超音波霧化装置では、送風力が強い場合は大きな霧化粒子でも噴出口から噴出され、送風力が弱い場合は、小さな径の霧化粒子でも噴出されず、送風力によって霧化粒子が一定の大きさにならないという問題があった。【解決手段】  タンク１１の底部に超音波振動子１３が装着され、サイクロン管１４の下端の吸引口１４ａの下端が超音波振動子１３の上部の霧化液体１２の液面１２ａから僅かに間隔を開けるように装着され、円筒部１４ｃの側壁に吸引パイプ１４ｄが装着され、サイクロン１４の上壁１４ｅを貫通して粒子捕集管１６の広がった下端拡大部１６ａがサイクロン管１４の傾斜部１４ｂの上方に位置するように固着され、サイクロン管１４の吸引口１４ａに嵌合する筒状部１８ａを設けたフロート１８が霧化液体１２の液面１２ａ上に浮遊され、筒状部１８ａの側壁に吸気穴１８ｂが形成されている。【選択図】図１
2007007543.tif 000002
【特許請求の範囲】
【請求項１】
霧化液体を入れたタンクと、該タンクの底面に装着された超音波振動子と、該超音波振動子の上部の水面と僅かに間隔を開けて装着された吸引口を備え、該吸引口から上方に広がって傾斜した傾斜部を備え、該傾斜部の上方に円筒部を備えたサイクロン管と、該サイクロン管の側部に接続された吸引パイプに接続された吸引装置と、前記サイクロン管の上壁に装着され、下端が前記サイクロン管の傾斜部の上部に位置し、上端が前記サイクロン管の上壁を貫通して突出した粒子捕集管と、前記霧化液体の水面に浮遊させ、前記サイクロン管の吸引口に嵌合されて側面に吸気穴を設けた筒状部を形成したフロートとからなり、前記吸引装置で前記サイクロン管内の空気を吸引することにより、前記サイクロン管の吸引口から吸引された空気は回転して上昇するとともに、前記超音波振動子で霧化した粒子を回転上昇し、大きな粒子は前記サイクロン管の回転空気の遠心力によってサイクロン管の側壁に衝突して落下し、前記サイクロン管の回転空気の内側で細かい粒子が上昇して、前記粒子捕集管より排出され、前記霧化液体の下降による霧化液体の液面と前記サイクロン管の吸引口の下端との間隔の拡大を前記フロートの前記筒状部で補うことを特徴とする超音波霧化装置。
【請求項２】
前記サイクロン管の側部に接続された吸引パイプは前記サイクロン管内の空気を回転するように傾斜して取付られていることを特徴とする請求項１記載の超音波霧化装置。
【発明の詳細な説明】
【技術分野】
【０００１】
本発明は、サイクロン管の空気の回転で大径の粒子を除去するようにした超音波霧化装置に関するものである。
【背景技術】
【０００２】
従来、この種の超音波霧化装置としては、図２に示すように、筐体１の内部に霧化容器２が構成され、霧化容器２にタンク３から霧化される液体４が所定の液体面まで注入され、又、霧化容器２の下部に超音波振動子５が装着され、超音波振動子５に発振器６から発振出力が供給され、さらに、筐体１の側壁にファン７が装着され、又、霧化容器２の上部の筐体１にほぼ垂直にパイプ部材８が装着され、このパイプ部材８の上端に傘状部材９が装着されて、パイプ部材８と傘状部材９の間に噴出口１０が設けられたものが提案されている。
【０００３】
このように構成された従来の超音波霧化装置では、超音波振動子５に発振器６から発振出力が供給されると、超音波振動子５から超音波が発生し、霧化容器２に注入された液体４の液柱４ａが発生し、液柱４ａから霧化粒子４ｂが千切れて霧化され、又、ファン７を駆動することにより、発生した霧化粒子４ｂはパイプ部材８の上方に送風され、ここで、霧化粒子Ｄ２の大きな径の粒子はパイプ部材８を上昇する途中で重力により落下し、小さな径の霧化粒子４ｂのみがパイプ８内を送風されることによって上昇し、噴出口１０から噴出されるように構成されている。
【０００４】
しかしながら、このように構成した従来の超音波霧化装置では、超音波振動子５で霧化された粒子をパイプ部材８に送風する中で、送風力より大きい大径の霧化粒子をパイプ８の途中で落とし、送風力に乗った小さな径の霧化粒子のみがパイプの噴出口１０より送風されるように構成しているが、このように、送風力が強い場合は大きな霧化粒子でも噴出口から噴出され、送風力が弱い場合は、小さな径の霧化粒子でも噴出されず、送風力によって霧化粒子が一定の大きさにならないという問題があった。
【特許文献１】特願平７−１８４７５９号
【発明の開示】
【発明が解決しようとする課題】
【０００５】
解決しようとする問題点は、従来の超音波霧化装置では、送風力が強い場合は大きな霧化粒子でも噴出口から噴出され、送風力が弱い場合は、小さな径の霧化粒子でも噴出されず、送風力によって霧化粒子が一定の大きさにならないという問題があった。
【課題を解決するための手段】
【０００６】
本発明では、タンクは霧化液体が入れられ、超音波振動子はタンクの底面に装着され、サイクロン管は吸引口が超音波振動子の上部の水面と僅かに間隔を開けて装着され、傾斜部が吸引口から上方に広がって傾斜され、円筒部が傾斜部の上方に備えられ、吸引装置はサイクロン管の側部に接続された吸引パイプに接続され、粒子捕集管はサイクロン管の上壁に装着され、下端が前記サイクロン管の傾斜部の上部に位置し、上端が前記サイクロン管の上壁を貫通して突出して構成され、吸引装置でサイクロン管内の空気を吸引し、フロートは霧化液体の水面に浮遊させ、サイクロン管の吸引口に嵌合されて側面に吸気穴を設けた筒状部を形成した構成により、サイクロン管の吸引口から吸引された空気は回転して上昇するとともに、超音波振動子で霧化した粒子を回転上昇させ、大きな粒子はサイクロン管の回転空気の遠心力によってサイクロン管の側壁に衝突して落下し、サイクロン管の回転空気の内側で細かい粒子が上昇して、粒子捕集管より排出され、霧化液体の下降によりフロートが下降しても、フロートの筒状部がサイクロン管の吸引口に嵌合され状態にあるので、霧化粒子の吸引を続行することができる。
【発明の効果】
【０００７】
本発明の超音波霧化装置では、吸引装置でサイクロン管内の空気を吸引することにより、サイクロン管内の空気は回転して上昇するので、サイクロン管の吸引口より空気が吸引されるとともに、超音波振動子で霧化された霧化粒子が上昇し、大きな径の霧化粒子はサイクロン管内の回転空気とともに回転して、サイクロン管の側壁に衝突して液体となって落下し、小さい径の粒子はサイクロン管内の回転空気の中心で上昇し、粒子捕集管で捕集されて、サイクロン管の上部から排出され、霧化液体が減少して、サイクロン管の吸引口と霧化液体の液面の間隔が離れても、フロートの筒状部で霧化粒子の吸引を続行することができる。
【発明を実施するための最良の形態】
【０００８】
本発明では、小さい径の霧化粒子をサイクロン管の中で空気が回転するように構成することにより、サイクロン管の中でこの回転空気に乗った大径の霧化粒子は除去され、小径の霧化粒子のみを粒子捕集管で捕集することができ、液面の変動にも対処することができた。
【実施例】
【０００９】
図１は本発明の実施例の超音波霧化装置の側面断面図、図２は図１のサイクロン管の円筒部の上面から見た断面図で、タンク１１に霧化液体１２が入れられ、タンク１１の底部に超音波振動子１３が装着され、サイクロン管１４の下端の吸引口１４ａの下端が超音波振動子１３の上部の霧化液体１２の液面１２ａから僅かに間隔を開けるように装着され、このサイクロン管１４は吸引口１４ａから上方に傾斜した傾斜部１４ｂが形成され、この傾斜部１４ｂの上部に円筒部１４ｃが形成され、この円筒部１４ｃの側壁に吸引パイプ１４ｄが装着され、この吸引パイプ１４ｄに吸引装置１５が接続され、又、サイクロン１４の上壁１４ｅを貫通して粒子捕集管１６の広がった下端拡大部１６ａがサイクロン管１４の傾斜部１４ｂの上方に位置するように固着され、又、粒子捕集管１６の中間部分１６ｂが細く形成され、上端部１６ｃはサイクロン管１４の上壁より突出して外側に僅かに広がって形成されており、さらに、超音波振動子１３は発振器１７に接続されており、又、サイクロン管１４の吸引口１４ａに嵌合する筒状部１８ａを設けたフロート１８が霧化液体１２の液面１２ａ上に浮遊され、さらに、筒状部１８ａの側壁に吸気穴１８ｂが形成されている。
【００１０】
このように構成された本実施例の超音波霧化装置では、発振器１３から発振出力が超音波振動子１３に出力されると、超音波振動子１３からの超音波で霧化液体１２の水面に霧化液柱１２ｂが発生し、この霧化液柱１２ｂから霧化粒子１２ｃがサイクロン管１４の吸引口１４ａの中で千切れるが、ここで、吸引装置１５が駆動されると、サイクロン管１４の円筒部１４ｃの円周方向に接続された吸引パイプ１４からサイクロン管１４内の空気が吸引されることにより、図２の矢印Ａに示すように、サイクロン管１４内の空気は回転しながら吸引されるので、サイクロン管１４の吸引口１４ａで千切れた霧化粒子１２ｃの大径の粒子はサイクロン管１４内の回転空気に引かれて共に回転し、遠心力でサイクロン管１４の側壁に衝突して液化して、タンク１１内に戻り、小径の霧化粒子１２ｃは回転空気の内側で上昇空気とともに上昇し、粒子捕集管１６の下端拡大部１６ａで捕捉されて、粒子捕集管１６内を上昇し、上端部１６ｃから外部に排出され、又、霧化液体１２が減少して霧化液体１２の液面１２ａがサイクロン管１４の吸引口１４ａから離れ過ぎた場合に、霧化液体１２の液面１２ａが下降してフロート１８が下降しても、フロート１８の筒状部１８ａがサイクロン管１４の吸気口と嵌合していることにより、確実にサイクロン管１４の吸引口１４ａから空気を吸引して、霧化液体１２の霧化粒子１２ｃを吸引することができる。
【００１１】
このように、本実施例では、サイクロン管１４内の空気を吸引装置１５で回転させなから吸引することによって、霧化粒子１２ｃの大径の粒子は回転空気の遠心力により除去し、小径の粒子のみを粒子捕集管１６の下端拡大部１６ａで捕捉して外部に排出するようにしたので、吸引装置１５で常に一定の空気を吸引するようにすれば、確実に粒子捕集管１６から一定の小径の霧化粒子１２ｃだけを大量に排出することができ、又、霧化液体１２の減少により、液面１２ａが下降しても、サイクロン管１４の吸引口１４ａからの吸引が妨げられることがないという利点がある。
【産業上の利用可能性】
【００１２】
なお、上記実施例において、吸引装置１５に接続される吸引パイプ１４ｄをサイクロン管１４の円筒部１４ｃの円周方向に傾斜して装着したが、吸引パイプ１４ｄをサイクロン管１４の円筒部１４ｃに垂直に接続しても吸引装置１５を作動することによって、サイクロン管１４内の空気を回転することができる。
【図面の簡単な説明】
【００１３】
【図１】図１は本発明の実施例の超音波霧化装置の側面断面図である。
【図２】図２は図１のサイクロン管の円筒部の上面から見た断面図である。
【図３】図３は従来の超音波霧化装置の側面断面図である。
【符号の説明】
【００１４】
１１              タンク
１２              霧化液体
１３              超音波振動子
１４              サイクロン管
１５              吸引装置
１６              粒子捕集管
１７              発振器
１８              フロート
【図１】
2007007543.tif 000003
【図２】
2007007543.tif 000004
【図３】
2007007543.tif 000005